(57)【要約】【課題】本発明は、照明器具を天井に取り付けた後で、天井給電側から伸びる電源コネクターと照明器具側から伸びる電源コネクターとを接続することができる照明器具取付装置を提供することを目的とする。【解決手段】本発明に係る照明器具取付装置Ｂは、引掛シーリングＣに取り付けられ、電源コネクターｄ３を有するアダプターＤと、電源コネクターａ４を有する照明器具Ａとを接続するものであって、灯具接続具１０、可動カバー２０、天井固定金具３０、間隔調節ボルト４０、天井接触金具５０、及び、弾力性材６０から構成され、灯具接続具は天井固定金具と適宜の間隔をおいて間隔調節ボルトにより連結され、天井固定金具と天井接触金具との間に弾力性材が挟み込まれ、灯具接続具と天井固定金具との間の間隔から外部へ電源コネクターｄ４と電源コネターａ４とを引き出すことが可能としたものである。【選択図】図２
2015069782.tif 000002
【特許請求の範囲】
【請求項１】
引掛シーリングに取り付けられ、電源コネクターを有するアダプターと、電源コネクターを有する照明器具とを接続する照明器具取付装置であって、
灯具接続具、可動カバー、天井固定金具、間隔調節ボルト、天井接触金具、及び、弾力性材から構成され、
灯具接続具は、照明器具が着脱自在に取り付けられると共に、天井固定金具と適宜の間隔をおいて間隔調節ボルトにより連結され、
可動カバーは、灯具接続具及び間隔調節ボルトを覆い包むと共に、天井固定金具に着脱自在に取り付けられ、
天井固定金具と天井接触金具との間に弾力性材が挟み込まれて一体となり、
一体となった天井固定金具、弾力性材及び天井接触金具がアダプターに着脱可能に取り付けられ、
灯具接続具と天井固定金具との間に形成された間隔から外部へアダプターの電源コネクターと照明器具の電源コネターとをそれぞれ引き出すことが可能とした
ことを特徴とする照明器具取付装置。
【発明の詳細な説明】
【技術分野】
【０００１】
本発明は、照明器具取付装置に関する。
【背景技術】
【０００２】
従来、照明器具を天井等へ取り付けるには、下記特許文献１〜３に示されるように、いずれも天井給電側から伸びる電源コネクターと照明器具側から伸びる電源コネクターとを接続した後に、照明器具取付具により照明器具を天井に固定する方式が採用されていた。
【０００３】
下記特許文献１には、ドライバー等の工具を必要としないで簡単に取り付けることができ、天井面に対する照明器具本体のガタツキや傾きを調整できる照明器具取付装置であって、シーリングローゼットに係止されるプラグ本体の周面に係止段部を有する引掛プラグ、及び、当該引掛プラグを嵌入する嵌入孔の内周面に径方向に出没自在に設けられた一対の係止部材を備えたアダプタ本体を取り付けた照明器具本体を備え、引掛プラグの係止段部に、アダプタ本体の一対の係止部材が着脱自在に係止されることで照明器具本体が取り付けられ、照明器具本体の外周部の複数箇所に、天井面に対して当接する調整用ネジを配し、調整用ネジにより天井面に対する照明器具本体のガタツキ、照明器具本体の傾きを調整する構造のものが示されている。
【０００４】
下記特許文献２には、大型化を防ぎつつ照明器具の保持強度を向上させる照明器具取付装置であって、引掛シーリングキャップのハウジング上面から上方に突出する係合部を、引掛シーリングボディのハウジング下面に設けられた係合孔に挿入して係合させ、引掛刃と引掛刃用刃受部の嵌合だけでなく係合部と係合孔の係合によっても照明器具を保持することができて保持強度が向上し、引掛シーリングボディに外鍔部を設けていた従来例のように引掛シーリングキャップ並びに引掛シーリングボディが大型化するのを防ぐことができる構造のものが示されている。
【０００５】
下記特許文献３には、照明器具本体をアダプタ−本体に取り付けると同時に正常な状態で係止された場合、電源コネクタは接続可能となり、接続後はスライド部材の動きが規制されるとともにスライド部材と解除突片が連動されているため、完全な取付状態を使用者に確認を促す天井直付け照明器具取付装置であって、天井に装着可能なアダプター本体に照明器具本体と着脱自在に係合する一対の係止部材を出没自在に、且つ、突出方向に付勢して設けると共に前記係止部材の解除突片とスライド部材をテーパー形状で介して連動させ、かつ、スライド部材はスプリングにより常に前記解除突片のテーパー部に摺動可能に当接される構造のものが示されている。
【先行技術文献】
【特許文献】
【０００６】
【特許文献１】特開２００５−３５３３１９号公報
【特許文献２】特開２００８−４７３５８号公報
【特許文献３】特開２０１０−１６５６５０号公報
【発明の概要】
【発明が解決しようとする課題】
【０００７】
しかしながら、上記従来のものは、天井給電側から伸びる電源コネクターと照明器具側から伸びる電源コネクターとを接続した後に、照明器具取付具により照明器具を天井に固定する構造のものであるため、照明器具を持ち上げながら天井給電側から伸びる電源コネクターと照明器具側から伸びる電源コネクターとを接続しなければならず、この電源コネクター同士を接続する作業は、高所で行うものであり、かつ、照明器具が重量物となる場合があるため、１人で作業するには片手で照明器具を持ち上げながらもう一方の手で接続作業をしなければならず、作業性が極めて悪いものであった。
【０００８】
そこで、本発明者は、鋭意研究を重ね、照明器具を天井に取り付けた後で、天井給電側から伸びる電源コネクターと照明器具側から伸びる電源コネクターとを接続することができる照明器具取付装置を開発した。
【課題を解決するための手段】
【０００９】
本発明に係る照明器具取付装置は、引掛シーリングに取り付けられ、電源コネクターを有するアダプターと、電源コネクターを有する照明器具とを接続する照明器具取付装置であって、灯具接続具、可動カバー、天井固定金具、間隔調節ボルト、天井接触金具、及び、弾力性材から構成され、灯具接続具は、照明器具が着脱自在に取り付けられると共に、天井固定金具と適宜の間隔をおいて間隔調節ボルトにより連結され、可動カバーは、灯具接続具及び間隔調節ボルトを覆い包むと共に、天井固定金具に着脱自在に取り付けられ、天井固定金具と天井接触金具との間に弾力性材が挟み込まれて一体となり、一体となった天井固定金具、弾力性材及び天井接触金具がアダプターに着脱可能に取り付けられ、灯具接続具と天井固定金具との間に形成された間隔から外部へアダプターの電源コネクターと照明器具の電源コネターとをそれぞれ引き出すことが可能としたことを特徴とするものである。
【発明の効果】
【００１０】
上記のように照明器具取付装置を構成したことにより、照明器具を天井に取り付けた後で、天井給電側から伸びる電源コネクターと照明器具側から伸びる電源コネクターとを接続することができ、極めて作業性がよくなり、１人でも取付作業が十分にできる効果がある。
【図面の簡単な説明】
【００１１】
【図１】本発明の実施例であって、照明器具取付装置を使用して天井に照明器具を取り付けた状態を示す斜視図である。
【図２】本発明の実施例であって、電源部引掛シーリングから本体パイプまでの分解斜視図である。
【図３】本発明の実施例であって、間隔調節ボルトを省略した照明器具取付装置の分解斜視図。
【図４】本発明の実施例であって、天井接触金具と弾力性材と天井固定金具とを示し、（ａ）は分解斜視図であり、（ｂ）は組立図である。
【図５】本発明の実施例であって、間隔調節ボルトを省略し、灯具接続金具を可動カバーの中に配置し、天井接触金具と天井固定金具とを離隔して表した照明器具取付装置を下方から見た内部構造を透視した分解斜視図である。
【図６】図５において、可動カバーを上方に移動させた状態を示す分解斜視図である。
【図７】本発明の実施例であって、間隔調節ボルトを省略し、灯具接続金具を可動カバーの中に配置し、天井接触金具の下面に天井固定金具を配置して表した照明器具取付装置を下方から見た内部構造を透視した分解斜視図である。
【図８】図７において、可動カバーを上方に移動させた状態を示す分解斜視図である。
【発明を実施するための形態】
【００１２】
次に本発明の好適な実施例を添付の図面に基づいて詳細に説明する。
【実施例１】
【００１３】
図１において、Ａは照明器具を示し、Ｂは本発明の実施例に係る照明器具取付装置を示す。
【００１４】
図１及び図２に示すように、前記照明器具Ａは、複数の照明部ａ１と、各照明部ａ１を支持すると共に各照明部の配線を通す本体パイプａ２から構成され、各配線は一つに配線に集束されて照明器具Ａから上方に伸びるコードａ３となり、該コードａ３の先端に電源コネクターａ４が接続されている。また、前記照明器具取付装置Ｂは、灯具接続具１０、可動カバー２０、天井固定金具３０、灯具接続具１０と天井固定金具３０との間に配された間隔調節ボルト４０、天井接触金具５０、及び、天井固定金具３０と天井接触金具５０との間に配された弾力性材６０から構成される。図３及び図５〜図８に示す照明器具取付装置Ｂは、前記間隔調節ボルト４０を省略して表した図である。
【００１５】
図２において、Ｃは天井に取り付けられた引掛シーリングである。当該引掛シーリングＣは、その下面に一対の係合孔ｃ１が設けられ、当該係合孔ｃ１は、一端側に形成された幅広部と他端側に形成された幅狭部とを有し、幅狭部の奥部には屋内配線と接続された端子が配設されている。
【００１６】
また、図２において、Ｄは引掛シーリングＣに取り付けられた円盤状のワンタッチアダプターである。当該ワンタッチアダプターＤは、その上面に引掛シーリングＣの係合孔ｃ１に係合する引掛プラグｄ１を有しており、引掛シーリングＣにワンタッチアダプターＤを取り付けたときに、引掛シーリングＣの係合孔ｃ１とワンタッチアダプターＤの引掛プラグｄ１とが電気的に接続されるようになっている。この引掛プラグｄ１は、ワンタッチアダプターＤ内で配線接続されてワンタッチアダプターＤから下方に伸びるコードｄ３となり、該コードｄ３の先端に電源コネクターｄ４が接続されている。そして、前記の照明器具Ａから伸びる電源コネクターａ４とワンタッチアダプターＤから伸びる電源コネクターｄ４とが接続されることにより照明器具Ａと屋内配線とが接続されることになる。
【００１７】
上記ワンタッチアダプターＤは、その側面に径方向に出没する一対の係止部材ｄ５が配されている。当該係止部材ｄ５はバネ力により径方向外方に付勢されており、この係止部材ｄ５と天井面との隙間を利用して前記照明器具取付装置Ｂが着脱可能に取り付けられことになる。
【００１８】
前記照明器具取付装置Ｂは、これを構成する天井接触金具５０、弾力性材６０及び天井固定金具３０が、図４（ｂ）に示すように、一体に構成される。すなわち、図４（ａ）に示すように、天井接触金具５０は、円形の底面５１とその周囲の起立壁面５２とから構成され、底面５１にはワンタッチアダプターＤが通過できる円形穴５３が設けられてなるものである。弾力性材６０は、前記天井接触金具５０の円形穴５３とほぼ同径の穴６１を有するリング状のスポンジ体より構成される。天井固定金具３０は、円形の上面３１とその周囲の垂下壁面３２とから構成され、上面３１にはワンタッチアダプターＤが通過できる円形穴３３が設けられてなるものである。
【００１９】
上記のように構成された天井接触金具５０、弾力性材６０及び天井固定金具３０は、例えば、弾力性材６０の表裏に接着剤を塗布し、天井接触金具５０と天井固定金具３０との間に天井接触金具５０の円形穴５３と天井固定金具３０の円形穴３３と弾力性材６０の穴６１とを揃えて接着することにより、図４（ｂ）に示すように一体とすることができる。なお、このように一体とした場合に、天井接触金具５０の底面５１の厚みと弾力性材６０の厚みと天井固定金具３０の上面３１の厚みとの総和が、弾力性材６０に対して厚み方向に加圧されていない状態において、前記ワンタッチアダプターＤにおける係止部材ｄ５と天井面との隙間よりも厚くしておく。
【００２０】
そして、図４（ｂ）に示す一体となった天井接触金具５０、弾力性材６０及び天井固定金具３０を、天井接触金具５０の円形穴５３と弾力性材６０の穴と天井固定金具３０の円形穴３３とを利用してワンタッチアダプターＤに嵌め込むと共に天井面に押し付ければ、弾力性材６０が加圧されて厚みが薄くなり、天井接触金具５０の底面５１と弾力性材６０と天井固定金具３０の上面３１との重なり箇所が前記ワンタッチアダプターＤにおける係止部材ｄ５と天井面との隙間に嵌り込んで、天井接触金具５０、弾力性材６０及び天井固定金具３０が前記ワンタッチアダプターＤと天井面とにより固定されることになる。
【００２１】
前記天井固定金具３０は、図２に示すように、前記灯具接続具１０と間隔調節ボルト４０により連結されている。灯具接続具１０は、底面１１とその周囲の起立壁面１２とから構成され、起立壁面１２には外方に突出する鍔部１３が形成されている。底面１１には、照明器具Ａの本体パイプａ２を接続可能な係止部１４が形成され、かつ、照明器具Ａから伸びる電源コネクターａ４を先端に有するコードａ３を挿通できる通孔１５が設けられている。また、鍔部１３には、間隔調節ボルト４０を通すボルト穴１６が設けられている。一方、天井固定金具３０には、その上面３１に間隔調節ボルト４０の皿状のボルト頭が埋没するボルト穴３４が形成されている。そして、間隔調節ボルト４０により天井固定金具３０と灯具接続具１０とが連結されることにより、天井固定金具３０と灯具接続具１０とを間隔をおいて連結することができる。この間隔を利用して、照明器具Ａから伸びる電源コネクターａ４とワンタッチアダプターＤから伸びる電源コネクターｄ４とを天井固定金具３０及び灯具接続具１０から外へ出すことが可能となる。
【００２２】
また、前記天井固定金具３０は、可動カバー２０と着脱可能に構成されている。すなわち、天井固定金具３０は、その起立壁面３２に鉤状の屈曲した係止穴３５が複数設けられている。可動カバー２０は、底面２１とその周囲の起立壁面２２とから構成され、底面２１は、図６及び図８に示すように、灯具接続具１０の周囲の起立壁面１２よりなる円筒状部が通過すると共に起立壁面１２の鍔部１３で止まる円形穴２３が形成されており、起立壁面２２の内面には、天井固定金具３０の係止穴３５に嵌合可能な突起２４が形成されている。したがって、可動カバー２０は、その円形穴２３に灯具接続具１０を通し、突起２４を天井固定金具３０の係止穴３５に嵌入して回転させると可動カバー２０は天井固定金具３０に固定されることになる。なお、可動カバー２０の底面２１内側と灯具接続具１０の鍔部１３下面とが接触したときに、可動カバー２０の突起２４と天井固定金具３０の係止穴３５とを具合良く嵌合させるために、間隔調節ボルト４０を利用して天井固定金具３０と灯具接続具１０との間隔を調節する。
【００２３】
以上のように本実施例の照明器具取付装置Ｂを構成したことにより、天井接触金具５０と弾力性材６０と天井固定金具３０と一体にすると共に、天井固定金具３０に灯具接続具１０を間隔調節ボルト４０を介して連結し、可動カバー２０を間に挟んで、照明器具Ａから伸びる電源コネクターａ４を先端に有するコードａ３を可動カバー２０の円形穴２３及び灯具接続具１０の通孔１５に通して、灯具接続具１０と天井固定金具３０との間に形成した間隔から外に電源コネクターａ４を出しながら、照明器具Ａを灯具接続具１０に取り付ける。その状態で、照明器具Ａを持ち上げて、ワンタッチアダプターＤから伸びる先端に電源コネクターｄ４するコードｄ３を、一体にした天井接触金具５０の円形穴５３と弾力性材６０の穴と天井固定金具３０の円形穴３３とに通して、灯具接続具１０と天井固定金具３０との間に形成した間隔から外に電源コネクターｄ４を出しながら、照明器具Ａを天井面側に押し上げると、天井接触金具５０と弾力性材６０と天井固定金具３０とが押圧され、弾力性材６０が圧縮されてその厚みが減少すると共に、天井接触金具５０の底面５１と弾力性材６０と天井固定金具３０の上面３１との重なり箇所が前記ワンタッチアダプターＤにおける係止部材ｄ５と天井面との隙間に嵌り込んで、天井接触金具５０、弾力性材６０及び天井固定金具３０が前記ワンタッチアダプターＤと天井面とにより固定され、かつ、弾力性材６０の復元力により、天井面が傾斜面であってもより一層強固に固定され、電源コネクターａ４と電源コネクターｄ４とを接続しない状態で照明器具Ａを天井に取り付けることが可能となる。
【００２４】
その後で、前記電源コネクターａ４と電源コネクターｄ４とを接続して、灯具接続具１０と天井固定金具３０との間に電源コネクターａ４と電源コネクターｄ４とを収納し、可動カバー２０を上方に移動させて、天井固定金具３０に可動カバー２０固定すると、照明器具Ａの取付が完了する。
【００２５】
このように本実施例における照明器具取付装置Ｂは、電源コネクターａ４と電源コネクターｄ４とを接続しない状態で、先に照明器具Ａを天井に取り付け、その後で電源コネクターａ４と電源コネクターｄ４とを接続することができるので、従来のように照明器具を持ち上げながら電源コネクターを接続するようなことがなくなり、極めて作業性がよいものとなる。
【００２６】
また、弾力性材６０を介していることにより、天井面に対して、照明器具Ａが安定して強固に取り付けられる利点がある。
【００２７】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２８】
Ａ・・・照明器具
ａ１・・照明部
ａ２・・本体パイプ
ａ３・・コード
ａ４・・電源コネクター
Ｂ・・・照明器具取付装置
１０・・灯具接続具
１１・・底面
１２・・起立壁面
１３・・鍔部
１４・・係止部
１５・・通孔
１６・・ボルト穴
２０・・可動カバー
２１・・底面
２２・・起立壁面
２３・・円形穴
２４・・突起
３０・・天井固定金具
３１・・上面
３２・・垂下壁面
３３・・円形穴
３４・・ボルト穴
３５・・係止穴
４０・・間隔調節ボルト
５０・・天井接触金具
５１・・底面
５２・・起立壁面
５３・・円形穴
６０・・弾力性材
６１・・穴
Ｃ・・・引掛シーリング
ｃ１・・係合孔
Ｄ・・・ワンタッチアダプター
ｄ１・・引掛プラグ
ｄ３・・コード
ｄ４・・電源コネクター
ｄ５・・係止部材
【図１】
2015069782.tif 000003
【図２】
2015069782.tif 000004
【図３】
2015069782.tif 000005
【図４】
2015069782.tif 000006
【図５】
2015069782.tif 000007
【図６】
2015069782.tif 000008
【図７】
2015069782.tif 000009
【図８】
2015069782.tif 000010